(57)【要約】      （修正有）【課題】ＦＥＰの故障や保守作業などの異常時への対応を図り、監視制御システムの情報伝達の信頼性を向上させる。【解決手段】制御ステーション１４は二重化構成されたＦＥＰ２０を備え、被制御ステーション１５は二台のＦＥＰ２１を備える。この制御ステーション１４と被制御ステーション１５との間はＡ，Ｂ系統の二系統を備え、Ａ，Ｂ系統の主系・従系は二重化コントローラで管理される。この各ＦＥＰ２０と各ＦＥＰ２１との間のＡ，Ｂ系統にヘルシーチェック通知を往復させる。このヘルシーチェック通知の往復の成否に基づきＡ，Ｂ系統の異常を検出する。このとき主系に異常の検出があれば、二重化コントローラは主系切替を自動的に実施する。【選択図】図１
2019179955.tif 000002
【特許請求の範囲】
【請求項１】
下位ステーションから上位ステーションに運転状況の瞬時データが伝送される一方、上位ステーションから下位ステーションに制御データが伝送される監視制御システムの情報伝送方式であって、
前記各ステーションは、それぞれの上位ステーションと共通化したフォーマットおよびデータを授受し、それぞれの下位ステーションと各装置固有のフォーマットおよびデータを授受するＦＥＰ（Ｆｒｏｎｔ−Ｅｎｄ  Ｐｒｏｃｅｓｓｏｒ）を備え、
前記上位ステーションの前記ＦＥＰを多重化構成する一方、
前記下位ステーションの前記ＦＥＰを、前記上位ステーション側の多重化数に応じた複数台系とし、
前記上位ステーションと前記下位ステーションとの間を複数の通信系統を備えた多重通信構成とし、
前記上位ステーションの前記各ＦＥＰと前記下位ステーションの前記各ＦＥＰとの間の各通信系統に異常検出用の通知を往復させ、
前記通知の往復の成否に基づき前記各通信系統の異常を検出することを特徴とする監視制御システムの情報伝送方式。
【請求項２】
前記上位ステーションは、二重化構成されたＦＥＰを備え、
前記下位ステーションは、二台系のＦＥＰを備え、
前記上位ステーションと前記下位ステーションとの間の前記通信系統は、二系統を備え、
前記上位ステーションは、前記二系統の主従系を管理する二重化制御部を備える一方、
前記下位ステーションの前記各ＦＥＰは、前記管理に従って制御通信されることを特徴とする請求項１記載の監視制御システムの情報伝送方式。
【請求項３】
前記二重化制御部は、
前記主系の前記ＦＥＰでのみ前記制御データを送信させる一方、
前記従系の前記ＦＥＰでは前記制御データを送信させない
ことを特徴とする請求項２記載の監視制御システムの情報伝送方式。
【請求項４】
前記二重化制御部は、
前記主系に前記異常の検出があれば、
前記通信系統の主系切替を実行することを特徴とする請求項１〜３のいずれかに記載の監視制御システムの情報伝送方式。
【請求項５】
前記二重化制御部は、
前記切替前に前記従系に前記異常の検出があれば、
前記主系切替を実行しないことを特徴とする請求項４記載の監視制御システムの情報伝送方式。
【請求項６】
下位ステーションから上位ステーションに運転状況の瞬時データが伝送される一方、上位ステーションから下位ステーションに制御データが伝送され、
前記各ステーションは、それぞれ上位ステーションと共通化したフォーマットおよびデータを授受する一方、それぞれ下位ステーションと各装置固有のフォーマットおよびデータを授受するＦＥＰ（Ｆｒｏｎｔ−Ｅｎｄ  Ｐｒｏｃｅｓｓｏｒ）を備えた監視制御システムの情報伝送方法であって、
前記上位ステーションの二重化された前記ＦＥＰと、前記下位ステーションの二台系の前記ＦＥＰとを用いた各通信系統によりデータ送信するステップと、
前記上位ステーションの前記各ＦＥＰと前記下位ステーションの前記各ＦＥＰとの間の各通信系統に異常検出用の通知を往復させ、前記通知の往復の成否に基づき前記各通信経路の異常を検出するステップと、
を有することを特徴とする監視制御システムの情報伝送方法。
【発明の詳細な説明】
【技術分野】
【０００１】
本発明は、下位ステーションから上位ステーションまでネットワークを介して階層化された監視制御システムにおけるステーション間の情報伝送の技術に関する。
【背景技術】
【０００２】
特許文献１には、上位の制御ステーションと下位の被制御ステーションとの間の制御通信方式が記載されている。ここでは制御ステーションにはフロントエンドプロセッサ（Ｆｒｏｎｔ−Ｅｎｄ  Ｐｒｏｃｅｓｓｏｒ：以下、ＦＥＰと省略する。）が設けられている。
【０００３】
このＦＥＰは、上位ステーションと共通化したフォーマットおよびデータを授受する一方、下位ステーションと各装置固有のフォーマットおよびデータを授受する。これにより制御ステーションと被制御ステーションとの間の通信プロトコル及びデータの違いを吸収し、その間の統一した通信を可能としている。
【０００４】
特許文献２には、二重化コンピュータシステムで構築されたシステム監視制御装置が記載されている。ここではホストコンピュータとフロントエンドプロセッサとを二重化し、プロントエンドプロセッサと多数の入出力デバイスとの回線接続状態を監視制御する。
【先行技術文献】
【特許文献】
【０００５】
【特許文献１】特開平１０−４２３８０
【特許文献２】特開平４−３１９４６
【発明の概要】
【発明が解決しようとする課題】
【０００６】
特許文献１の制御通信方式によれば、ステーション間に伝送されるデータは、ＦＥＰで統一されて通信される。しかしながら、ＦＥＰがシングル構成なため、ＦＥＰの故障時や保守作業時などの異常時にステーション間の監視制御ができないおそれがあった。
【０００７】
この点につき、特許文献２に示す二重化コンピュータシステムで構築されたシステム監視制御装置などが提案されているものの、制御ステーションの情報法伝送方式おけるＦＥＰの二重化を提案するものではなく、ステーション間の監視制御に向かないおそれがある。
【０００８】
本発明は、このような従来の問題を解決するためになされ、ＦＥＰの故障時や保守作業時などの異常時発生時にステーション間の監視制御を可能にし、監視制御システムの情報伝達の信頼性を向上させることを解決課題としている。
【課題を解決するための手段】
【０００９】
（１）本発明の一態様は、下位ステーションから上位ステーションに運転状況の瞬時データが伝送される一方、上位ステーションから下位ステーションに制御データが伝送される監視制御システムの情報伝送方式であって、
前記各ステーションは、それぞれの上位ステーションと共通化したフォーマットおよびデータを授受し、それぞれの下位ステーションと各装置固有のフォーマットおよびデータを授受するＦＥＰ（Ｆｒｏｎｔ−Ｅｎｄ  Ｐｒｏｃｅｓｓｏｒ）を備え、
前記上位ステーションの前記ＦＥＰを多重化構成する一方、
前記下位ステーションの前記ＦＥＰを、前記上位ステーション側の多重化数に応じた複数台系とし、
前記上位ステーションと前記下位ステーションとの間を複数の通信系統を備えた多重通信構成とし、
前記上位ステーションの前記各ＦＥＰと前記下位ステーションの前記各ＦＥＰとの間の各通信系統に異常検出用の通知を往復させ、
前記通知の往復の成否に基づき前記各通信系統の異常を検出することを特徴としている。
【００１０】
（２）本発明の他の態様は、下位ステーションから上位ステーションに運転状況の瞬時データが伝送される一方、上位ステーションから下位ステーションに制御データが伝送され、
前記各ステーションは、それぞれ上位ステーションと共通化したフォーマットおよびデータを授受する一方、それぞれ下位ステーションと各装置固有のフォーマットおよびデータを授受するＦＥＰ（Ｆｒｏｎｔ−Ｅｎｄ  Ｐｒｏｃｅｓｓｏｒ）を備えた監視制御システムの情報伝送方法であって、
前記上位ステーションの二重化された前記ＦＥＰと、前記下位ステーションの二台系の前記ＦＥＰとを用いた各通信系統によりデータ送信するステップと、
前記上位ステーションの前記各ＦＥＰと前記下位ステーションの前記各ＦＥＰとの間の各通信系統に異常検出用の通知を往復させ、前記通知の往復の成否に基づき前記各通信経路の異常を検出するステップと、
を有することを特徴としている。
【発明の効果】
【００１１】
本発明によれば、ＦＥＰ故障や保守作業時などの異常時発生時にステーション間の監視制御が可能となる。この点で監視制御システムの情報伝達の信頼性向上に貢献できる。
【図面の簡単な説明】
【００１２】
【図１】本発明の実施形態の係る監視制御システムの構成図。
【図２】同  ＦＥＰ二重化の概略図。
【図３】（ａ）は実施例１のＦＥＰ自動切替前の状態図、（ｂ）は実施例１のＦＥＰ自動切替後の状態図。
【図４】（ａ）は実施例２のＦＥＰ自動切替前の状態図、（ｂ）は実施例２のＦＥＰ自動切替後の状態図。
【図５】（ａ）は実施例３のＦＥＰ自動切替前の状態図、（ｂ）は実施例３のＦＥＰ自動切替後の状態図。
【図６】（ａ）は実施例４のＦＥＰ自動切替前の状態図、（ｂ）は実施例４のＦＥＰ自動切替後の状態図。
【図７】（ａ）はＦＥＰ手動切替前の状態図、（ｂ）はＦＥＰ手動切替後の状態図。
【発明を実施するための形態】
【００１３】
以下、本発明の実施形態を説明する。ここでは本発明の情報伝達方式は、監視制御システムに適用され、本発明の情報伝達方法が実行されている。
【００１４】
この監視制御システムは、下位ステーションから上位ステーションまでネットワークを介して階層化され、機器などの運転状況の瞬時データ（監視情報）と制御データとを区別し、かつ通信プロトコルの異なるステーション間での情報伝達を実行する。
【００１５】
ここでは各ステーションには、特許文献１と同様にＦＥＰが設けられ、上位ステーションと下位ステーションとの間の通信プロトコル及びデータの違いを吸収し、その間の統一した通信を可能としている。
【００１６】
このとき各ステーションのＦＥＰは冗長化（多重化）が施されている。具体的には上位ステーションのＦＥＰと下位ステーションのＦＥＰとが冗長化（多重化）され、両ＦＥＰ間に複数の通信系統を備えている。併せて上位ステーション・下位ステーション間の通信系統について異常検出機能を有し、監視制御システムの信頼性を向上させている。なお、本実施形態で使用される主な用語の定義を以下に示す。
【００１７】
（１）上位ステーション：ＦＡ（Ｆａｃｔｏｒｙ  Ａｕｔｏｍａｔｉｏｎ）プロトコルを使用するステーションは、複数の形態が想定される。ここでは下位ステーションから機器などの運転状況の瞬時データ（監視情報）を受信する位置付の計算機（コンピュータ）を総称して上位ステーションと表すものとする。例えば上位ステーション／下位のステーションが、遠制（Ｒｅｍｏｔｅ  Ｃｏｎｔｒｏｌ  Ｓｙｓｔｅｍ）と被遠制（Ｒｅｍｏｔｅｌｙ  Ｃｏｎｔｒｏｌｌｅｄ  Ｓｙｓｔｅｍ）の関係にあれば、遠制側のステーションが相当する。
【００１８】
（２）下位ステーション：前述のようにＦＡ（Ｆａｃｔｏｒｙ  Ａｕｔｏｍａｔｉｏｎ）プロトコルを使用するステーションは、複数の形態が想定される。ここでは上位ステーションに瞬時データを送信する位置付の計算機を総称して下位ステーションと表すものとする。例えば上位ステーション／下位のステーションが、遠制と被遠制の関係にあれば、被遠制側のステーションが相当する。
【００１９】
（３）ＦＡプロトコル：ＦＡ系システム間、特に特許文献１のマルチベンダシステム間でＦＡ系情報の通信を可能とするものを「ＦＡプロトコル」と呼ぶものとする。このＦＡプロトコルは、ＴＣＰ／ＩＰやＵＤＰ／ＩＰをベースとして、ＦＡ系システムの機能要件を満たすマルチベンダ通信プロトコルである。
【００２０】
≪システム構成例≫
図１に基づき前記監視制御システムの構成例を説明する。この監視制御システムは、最上位管理ステーション１１から管理ステーション１２を介して統括ステーション１３との間でネットワーク１を通した情報伝送が実行される。
【００２１】
また、統括ステーション１３から制御（上位）ステーション１４を介して被制御（下位）ステーション１５との間でネットワーク２を通した情報伝送を実行する階層化された情報ネットワークを構築している。
【００２２】
ここで前記監視制御システムは、両ステーション１４，１５のＦＥＰ２０，２１の二重化，ネットワーク２の二重通信構成，異常検出機能（ヘルシーチェック機能・通信系統の切替機能の追加）の特徴を有している点で特許文献１と相違する。以下、この特徴を中心に前記監視制御システムの情報伝達方式／情報伝達方法を説明する。
【００２３】
≪ＦＥＰの二重化等≫
図２に基づきＦＥＰ２０，２１の二重化およびネットワーク２の二重通信構成を説明する。図２中の２０は、制御ステーション（例えば遠制ポンプ場など）１４の二重化された遠制ＦＥＰ−Ａ，ＦＥＰ−Ｂを示している。この各遠制ＦＥＰ−Ａ２０，ＦＥＰ−Ｂ２０は、二重化コントローラ（ＤＣ：Ｄｕｐｌｉｃａｔｅ  Ｃｏｎｔｒｏｌｌｅｒ）２４により管理制御されている。
【００２４】
また、同２１は、被制御ステーション（例えば被遠制ポンプ場など）１５の二台系の被遠制ＦＥＰ−Ａ，ＦＥＰ−Ｂを示し、さらに同２２はＬＡＮスイッチを示している。
【００２５】
ここでは制御ステーション１４・被制御ステーション１５間の通信系統は、Ａ系統「被遠制ＦＥＰ−Ａ２１・遠制ＦＥＰ−Ａ２０系」と、Ｂ系統「被遠制ＦＥＰ−Ｂ２１・遠制ＦＥＰ−Ｂ２０系」の二系統からなり、該各系統は個々に制御通信を行う。この制御通信には、従来のＦＥＰシングル構成（例えば特許文献１のＦＥＰ構成など）と同等なものが使用可能である。なお、Ａ，Ｂ系統は互いの制御通信を干渉しないように構成されているものとする。
【００２６】
さらにＡ，Ｂ系統は、それぞれネットワーク障害の回避のため、二重通信の機能を持つ。すなわち、あらかじめ下位の被遠制ＦＥＰ−Ａ２１，ＦＥＰ−Ｂ２１から上位の遠制ＦＥＰ−Ａ２０，ＦＥＰ−Ｂ２０に対して、「１系ルート」と「２系ルート」の二つの通信ルートを設定し、各ルートを瞬時データ，制御データ，時刻情報の通信に使用する。
【００２７】
これにより制御ステーション１４と被制御ステーション１５との間は、Ａ系統（１系ルート，２系ルート）とＢ系統（１系ルート、２系ルート）とによりデータの送受信を行うことができる。例えば被遠制ＦＥＰ−Ａ２１，ＦＥＰ−Ｂ２１から遠制ＦＥＰ−Ａ２０，ＦＥＰ−Ｂ２０に瞬時データなどを送信する際は、以下のルートを経由する。
・Ａ系統
１系ルート：被遠制ＦＥＰ−Ａ２１（Ａ１）→１系ルート→遠制ＦＥＰ−Ａ２０（Ａ１）
２系ルート：被遠制ＦＥＰ−Ａ２１（Ａ２）→２系ルート→遠制ＦＥＰ−Ａ２０（Ａ２）
・Ｂ系統
１系ルート：被遠制ＦＥＰ−Ｂ２１（Ｂ１）→１系ルート→遠制ＦＥＰ−Ｂ２０（Ｂ１）
２系ルート：被遠制ＦＥＰ−Ｂ２１（Ｂ２）→２系ルート→遠制ＦＥＰ−Ｂ２０（Ｂ２）
そして、１系ルート・２系ルートの二重化通信が選択されている場合、送信側のＦＥＰ（例えば被遠制ＦＥＰ−Ａ２１）は、同時に１系ルート・２系ルートを通じて受信側のＦＥＰ（例えば遠制ＦＥＰ−Ａ２０）にデータ送信する。このとき受信側のＦＥＰは、先に受信したルートのデータを受信データとする（先着優位）。なお、イーサネット（登録商標）方式においては、高速迂回によるループバック方式のため、１系ルート・２系ルートの両データとも同一ルート（右または左回り）にて通信が行われる。
【００２８】
ここでＡ，Ｂ系統の主従管理は、遠制ＦＥＰ−Ａ２０，ＦＥＰ−Ｂ２０を管理制御する二重化コントローラ２４により行われる。この主従管理に従って二台系の被遠制ＦＥＰ−Ａ２１，ＦＥＰ−Ｂ２１が制御通信を実行する。
【００２９】
また、遠制ＦＥＰ−Ａ２０，ＦＥＰ−Ｂ２０のデータ受信は主系で実施され、該主系の各ルート（１系ルート，２系ルート）の先着データをプロセスデータとして制御ステーション１４の記憶部装置（図示省略）に記憶させて格納する。一方、従系は、データ受信メモリの読み込みが行うものの、プロセスデータとしての格納は行わない。なお、被遠制ＦＥＰ−Ａ２１，ＦＥＰ−Ｂ２１は、通信系統の主従に関係なく、遠制ＦＥＰ−Ａ２０，ＦＥＰ−Ｂ２０に上り信号を伝送する。
【００３０】
一方、遠制ＦＥＰ-Ａ２０，ＦＥＰ−Ｂ２０の制御情報通信は、二重化コントローラ２４の主従管理の下、主系でのみ制御データが送信され、従系では制御データの送信は行われない。例えばＡ系統が主系の場合、遠制ＦＥＰ−Ａ２０から制御データを受信した被遠制ＦＥＰ−Ａ２１は、図示省略のプロセス制御系システム（プロコン）に該制御データを出力する。
【００３１】
ただし、制御ステーション１４と被制御ステーション１５との時刻同期にあたっては、遠制ＦＥＰ−Ａ２０，ＦＥＰ−Ｂ２０の時刻情報通信は主系・従系の双方向から時刻データが送信され、被遠制ＦＥＰ-Ａ２１，ＦＥＰ−Ｂ２１の二台系に対して時刻同期が行えるものとする。このときプロセス制御系システムへの時刻データ出力は、被遠制ＦＥＰ-Ａ２１，ＦＥＰ−Ｂ２１のうち主系通信側で行う。
【００３２】
ここで従系の通信系統は、制御データの送受信を実施しないものの、制御データ通信や時刻情報通信についてＴＣＰ／ＩＰの接続を常時行うものとする。この場合、制御データ通信はＴＣＰ/ＩＰの接続のみで送受信するデータが無い状態が継続するため、別途にＴＣＰ/ＩＰの接続確認（生存確認）を設定してもよい。
【００３３】
なお、ＦＥＰ二重化での伝送規約および伝送フォーマットなどは、シングル構成の規約を転用し、Ａ系統とＢ系統とは同じ伝送フォーマットを使用する。
【００３４】
≪異常検出機能等≫
二重化コントローラ２４は、通信系統の主従系を管理し、さらに各通信系統の異常を検出する。この主従系は、製造メーカなどにより予め二重化コントローラ２４にデフォルト設定されているものとする。ここでは一例として二重化コントローラ２４に「主系＝Ａ系統」および「従系＝Ｂ系統」と設定された事例を想定する。
【００３５】
この場合にＡ系統の遠制ＦＥＰ−Ａ２０は、上位主従区分を主系コードとした異常検出用のヘルシーチェック（下り）を被遠制ＦＥＰ−Ａ２１に通知する。また、Ｂ系統の遠制ＦＥＰ−Ｂ２０は、上位主従系区分を従系コードとした異常検出用のヘルシーチェック（下り）を被遠制ＦＥＰ−Ｂ２１に通知する。
【００３６】
これにより被遠制ＦＥＰ−Ａ２１，ＦＥＰ−Ｂ２１側でＡ．Ｂ系統の主従系を検出することができる。このとき被遠制ＦＥＰ−Ａ２１，ＦＥＰ−Ｂ２１への前記通知は、それぞれ５秒周期で送信される。この周期は、仕様などに応じて任意の値に設定することができる。
【００３７】
この応答として、前記通知の受信後に被遠制ＦＥＰ−Ａ２１，ＦＥＰ−Ｂ２１から遠制ＦＥＰ−Ａ２０，ＦＥＰ−Ｂ２０にヘルシーチェック（上り）の通知が送信される。また、遠制ＦＥＰ−Ａ２０，ＦＥＰ−Ｂ２０は、被遠制ＦＥＰ−Ａ２１，ＦＥＰ−Ｂ２１から送信されたヘルシーチェック（上り）の通知を受信する。
【００３８】
このようにヘルシーチェック（下り／上り）の通知を往復させ、該通知の往復の成否に基づきＡ，Ｂ系統の異常が検出される。例えば（Ａ）遠制ＦＥＰ−Ａ２０，ＦＥＰ−Ｂ２０のダウン、（Ｂ）被遠制ＦＥＰ−Ａ２１，ＦＥＰ−Ｂ２１のダウン、（Ｃ）両ルート（１系ルート・２系ルート）共に回線断などの各事像が生じた通信系統は、ヘルシーチェック（下り／上り）の通知を往復させることができず、異常が検出される。
【００３９】
このとき主系のＡ系統について異常が検出されれば、二重化コントローラ２４により主系切替、即ちＢ系統への主系切替が自動的に実施される。ただし、切替前に従系（Ｂ系）の異常が検出されていれば主系切替は実施されないものとする。
【００４０】
一方、ヘルシーチェック（下り／上り）の通知の往復が成功した場合には、通信系統の異常は検出されず、主系切替を実施することなく、従前通りの主従系（主系＝Ａ系，従系＝Ｂ系）のまま監視制御が継続される。以下、実施例１〜４に基づき異常検出および主系切替を具体的に説明する。この実施例１〜４の主従系管理は前記事例と同じとする。
【００４１】
（１）実施例１
図３に基づき実施例１の主系切替を説明する。この実施例１は、主系（Ａ系統）の被遠制ＦＥＰ−Ａ２１がダウンしたときの主系切替を示している。
【００４２】
ここでは図３（ａ）に示すように、被遠制ＦＥＰ-Ａ２１が故障や保守作業などによりダウンした状態を想定する。この場合に被遠制ＦＥＰ-Ａ２１は、遠制ＦＥＰ―Ａ２０からのヘルシーチェック（下り）に対する応答、即ちヘルシーチェック（上り）を送信できない。
【００４３】
したがって、遠制ＦＥＰ−Ａ２０がヘルシーチェック（上り）を受信することができず、ヘルシーチェック（上り）の受信がタイムアウトする。このタイムアウト時間は仕様などにより任意に設定できるものとする。
【００４４】
これにより遠制ＦＥＰ-Ａ２０は、主系（Ａ系統）の異常、即ちＡ系の両ルート（１系ルート・２系ルート）の回線断／被遠制ＦＥＰ-Ａ２１のダウンを検出し、二重化コントローラ２４に検出結果を送る。
【００４５】
この検出結果が入力されると二重化コントローラ２４は、前記検出後に従系（Ｂ系統）の正常状態、即ち異常が検出されていない状態が１５秒以上継続していることを条件に主系切替を実施する。この正常状態の確認としては、例えば遠制ＦＥＰ−Ｂ２０が３周期分のヘルシーチェック（上り）を受信したことなどを条件としてもよい。
【００４６】
この主系切替の結果、図３（ｂ）に示すように、通信系統の主系がＡ系統からＢ系統に切り替えられる。このとき被遠制ＦＥＰ−Ｂ２１は、遠制ＦＥＰ−Ｂ２０からの上位主従区分の主系コードにより通信系統の切替を認識し、Ｂ系統の１系ルート・２系ルートを通じて制御通信を実行する。
【００４７】
これにより被遠制ＦＥＰ−Ａ２１がダウンしても、ステーション１４，１５間の制御通信が途絶えることがなく、両者１４，１５間の制御通信が継続される。なお、実施例１の切替後に被遠制ＦＥＰ−Ａ２１が復旧しても、通信系統の主系統はＢ系統のままとする。
【００４８】
（２）実施例２
図４に基づき実施例２の主系切替を説明する。この実施例２は、主系（Ａ系統）の遠制ＦＥＰ−Ａ２０がダウンしたときの主系切替を示している。
【００４９】
ここでは図４（ａ）に示すように、遠制ＦＥＰ-Ａ２０が故障や保守作業などによりダウンした状態を想定する。このとき遠制ＦＥＰ−Ａ２０は、ヘルシーチェック（下り）の通知を定められた周期（５秒周期）で送信することができず、未送信の周期が記録される。
【００５０】
また、二重化コントローラ２４は、前記周期の度にヘルシーチェック（下り）の送信記録をチェックし、未送信の周期があれば遠制ＦＥＰ−Ａ２０のダウンを検出する。この検出後に二重化コントローラ２４は、実施例１と同様に従系（Ｂ系統）の正常状態が１５秒以上継続していることを前提に通信系統の主系切替を実施する。
【００５１】
この主系切替の結果、図４（ｂ）に示すように、通信系統の主系がＡ系統からＢ系統に切り替えられる。ここでは実施例１と同様に被遠制ＦＥＰ−Ｂ２１は、遠制ＦＥＰ−Ｂ２０からの上位主従区分の主系コードにより通信系統の切替を認識し、Ｂ系統の１系ルート・２系ルートを通じて制御通信を実行する。
【００５２】
これにより遠制ＦＥＰ−Ａ２０がダウンしても、ステーション１４，１５間の制御通信が途絶えることはなく、両者１４，１５間の制御通信が継続される。
【００５３】
なお、遠制ＦＥＰ-Ａ２０がダウンした場合、ヘルシーチェック（下り）の受信もタイムアウトする。したがって、被遠制ＦＥＰ−Ａ２１が、主系（Ａ系統）の異常、即ちＡ系統の両ルート（１系ルート・２系ルート）の回線断／遠制ＦＥＰ-Ａ２０のダウンを検出する。この検出結果を、Ｂ系統を通じて二重化コントローラ２４に送って主系切替を実施してもよいものとする。
【００５４】
（３）実施例３
図５に基づき実施例３を説明する。この実施例３は、主系（Ａ系統）の両ルート（１系ルート・２系ルート）に回線断が生じた場合の主系切替を示している。
【００５５】
ここでは遠制ＦＥＰ−Ａ２０は、図５（ａ）に示すように、１系ルートに回線断が生じたため、２系ルートにより制御通信を行っていた。ところが、２系ルートにも回線断が生じたため、遠制ＦＥＰ−Ａ２０はヘルシーチェック（上り）を受信することができず、ヘルシーチェック（上り）の受信がタイムアウトする。
【００５６】
これにより遠制ＦＥＰ-Ａ２０は、主系（Ａ系統）の異常、即ちＡ系の両ルート（１系ルート・２系ルート）の回線異常／被遠制ＦＥＰ-Ａ２１のダウンを検出し、二重化コントローラ２４に検出結果を送る。
【００５７】
この検出結果が入力されると二重化コントローラ２４は、実施例１，２と同様に従系（Ｂ系統）の正常状態が１５秒以上継続していることを前提に通信系統の主系切替を実施する。
【００５８】
すなわち、図５（ｂ）に示すように、通信系統の主系がＡ系統からＢ系統に切り替えられる。このとき被遠制ＦＥＰ−Ｂ２１は、遠制ＦＥＰ−Ｂ２０からの上位主従区分の主系コードにより通信系統の切替を認識する。
【００５９】
ここでＢ系統は、１系ルートが回線断しているため、２系ルートで制御通信が実行される。これにより主系（Ａ系統）の全ルート（１系ルート・２系ルート）に回線断が生じても、ステーション１４，１５間の制御通信が途絶えることがなく、両者１４，１５間の制御通信が継続される。
【００６０】
なお、主系の両ルートに回線断が生じた場合、ヘルシーチェック（下り）の受信もタイムアウトする。したがって、被遠制ＦＥＰ−Ａ２１が、主系（Ａ系統）の異常、即ち遠制ＦＥＰ−Ａ２０のダウン／両ルート（１系ルート・２系ルート）の回線断を検出する。この検出結果を、Ｂ系統を通じて二重化コントローラ２４に送って主系切替を実施してもよい。
【００６１】
（４）実施例４
図６に基づき実施例４を説明する。この実施例４は、図６（ａ）に示すように、主系（Ａ系統）の片系ルート（１系ルート）に回線断などの回線異常が生じた場合を示している。
【００６２】
ここでは主系（Ａ系統）が２系ルートで制御通信を継続可能なため、図６（ｂ）に示すように、主系切替は実施されることはなく、Ａ系統を主系にしたまま監視制御が実行される。
【００６３】
このように本実施形態の前記監視制御システムによれば、回線異常（回線断，ＦＥＰの故障など）や保守作業によりステーション１４・ステーション１５間の監視制御ができない従来方式の問題が解決される。
【００６４】
すなわち、本実施形態の情報伝送方式によれば、通信系統の主系が異常により停止しても、自動的に主系切替が実施されるため、ステーション１４・１５間の監視制御を継続することができる。この点で高い信頼性の監視制御システムを提供することができる。
【００６５】
≪その他・他例≫
（１）本発明は、上記実施形態に限定されるものではなく、各請求項に記載された範囲内で変形して実施することができる。例えば二重化コントローラ２４の自動切替だけでなく、手動により通信系統の主系を切り替えてもよい。
【００６６】
すなわち、図７（ａ）の状態で主従系が管理されている場合に遠制ＦＥＰ−Ａ２０の保守作業を実施する状態を想定する。この場合には保守作業の開始前に主系切替を実施し、図７（ｂ）に示すように、主系をＡ系統からＢ系統に切り替えればよい。これにより遠制ＦＥＰ−Ａ２０の保守作業中にもステーション１４，１５間の制御通信を継続することができる。
【００６７】
また、ステーション１４・１５間のＦＥＰ２０，２１を二重化するだけでなく、ステーション１１・１２間，ステーション１２・１３間，ステーション１３，１４間のＦＥＰを二重化（二台系）して二重通信化を図ってもよい。
【００６８】
なお、本実施形態の説明では、二重化コントローラ２４において通信系統の主従を管理し、さらに各通信系統の異常を検出するとしたが、遠制ＦＥＰ２０が二重化コントローラ２４の機能を備えてもよい。
【００６９】
（２）また、上記実施形態から把握される本発明の技術的特徴は、特許請求の範囲の記載に限定されない。以下に他の技術的特徴について一例を示す。
【００７０】
〔請求項ａ〕
上位ステーションの主系のＦＥＰは、上位主従区分を主系とした異常検出用の通知を下位ステーションの主系のＦＥＰに送信する一方、
上位ステーションの従系のＦＥＰは、上位主従区分を従系とした異常検出用の通知を下位ステーションの従系のＦＥＰに送信し、
下位ステーションの各ＦＥＰは、前記各通知の受信により通信系統の主従系を検出することを特徴とする請求項２記載の監視制御システムの情報伝送方式。
【００７１】
〔請求項ｂ〕
上位ステーションの主系のＦＥＰは、異常検出用の通知を任意の周期で下位ステーションの主系のＦＥＰに送信し、該通知に対する応答の受信がタイムアウトすれば主系の異常を検出し、
二重化制御部は、前記異常が主系で検出されれば、主系切替を実行することを特徴とする請求項４記載の監視制御システムの情報伝送方式。
【００７２】
〔請求項ｃ〕
上位ステーションの主系のＦＥＰが、異常検出用の通知を下位ステーションの主系のＦＥＰに送信できない場合には、
二重化制御部は、主系の異常を検出し、さらに主系切替を実行することを特徴とする請求項４記載の監視制御システムの情報伝送方式。
【００７３】
〔請求項ｄ〕
上位ステーションの主系のＦＥＰのダウン
下位ステーションの主系のＦＥＰのダウン
主系の通信ルートのすべて回線断
の各事象が生じた場合に主系切替が実行されることを特徴とする請求項ｂまたはｃ記載の監視制御システムの情報伝送方式。
【００７４】
〔請求項ｅ〕
通信系統の系切替は、主系の異常検出後に従系の正常状態が事前設定の時間継続することを条件とする
ことを特徴とする請求項４，ｂ〜ｄ監視制御システムの情報伝送方式。
【００７５】
〔請求項ｆ〕
主系切替は、上位ステーションの従系のＦＥＰが主系に切り替わる一方、主系のＦＥＰが従系に切り替わり、
主系切替後に上位ステーションの新たに主系となったＦＥＰは、上位主従区分を主系とする異常検出用の通知を下位ステーションのＦＥＰに送信する
ことを特徴とする請求項ａ記載の監視制御システムの情報伝送方式。ただし、前記請求項ａ〜ｆの発明は、請求項１〜６の発明の技術的範囲に含まれているものとする。
【符号の説明】
【００７６】
１，２…ネットワーク
１１…最上位管理ステーション
１２…管理ステーション
１３…統括ステーション
１４…制御ステーション
１５…被制御ステーション
２０，２１…ＦＥＰ
２２…ＬＡＮスイッチ
２４…二重化コントローラ（二重化制御部）
【図１】
2019179955.tif 000003
【図２】
2019179955.tif 000004
【図３】
2019179955.tif 000005
【図４】
2019179955.tif 000006
【図５】
2019179955.tif 000007
【図６】
2019179955.tif 000008
【図７】
2019179955.tif 000009